(57)【要約】      （修正有）【課題】少ない部品点数，組立工数で簡単に組立てられるように改良した引出し形回路遮断器のシャッタ装置を提供する。【解決手段】引出し形回路遮断器１を搭載したクレードル２に主回路断路部３の充電部を覆うシャッタ板５を設け、前記シャッタ板５の両端に連結したガイド支柱６と、該ガイド支柱の下端に連繋して前方に引き出した操作レバー７と、回路遮断器に配したローラ１３とで構成したものにおいて、前記ガイド支柱６を断面Ｌ形のアングル形状鋼材として、該ガイド支柱６をクレードル２の側壁２ａに切り起こし形成した左右のスライドガイド１４の間に嵌挿して上下移動可能に案内支持し、かつガイド支柱６の下端に形成した切欠部６ａに操作レバー７の後端を嵌挿して連繋する。また、操作レバー７は揺動支点となる部位をクレードル２の側壁２ａに切り起こし形成した支点ガイド１５に通し、該支点ガイド１５を支点に操作レバー７を揺動可能に支持する。【選択図】図１
2009296711.tif 000002
【特許請求の範囲】
【請求項１】
引出し形回路遮断器を搭載したクレードルの背壁に主回路断路部の固定接触子を備えた上で、該固定接触子の前方に感電防止用のシャッタ板を配置し、該シャッタ板を回路遮断器の押込み，引出し移動に連動して開閉操作するようにした引出し形回路遮断器のシャッタ装置であり、前記シャッタ板の両端に連結して上下可動に案内支持したガイド支柱、および一端を前記ガイド支柱の下端に連繋して前方に引き出した揺動式の操作レバーを備え、かつ該操作レバーの先端側を回路遮断器に備えた操作アクチュエータ部材に連係させたものにおいて、
前記ガイド支柱を断面Ｌ形の鋼材として、該ガイド支柱をクレードルの側壁に切り起こし形成した左右のスライドガイドの間に嵌挿して上下移動可能に案内支持するとともに、ガイド支柱の下端に形成した切欠部に前記操作レバーの後端を嵌挿して両者の間を連繋したことを特徴とする引出し形回路遮断器のシャッタ装置。
【請求項２】
請求項１に記載の引出し形回路遮断器のシャッタ装置において、操作レバーの揺動支点となる中間部位をクレードルの側壁に切り起こし形成した支点ガイドに嵌挿し、該支点ガイドを支点として操作レバーを揺動可能に枢支したことを特徴とする引出し形回路遮断器のシャッタ装置。
【発明の詳細な説明】
【技術分野】
【０００１】
この発明は、クレードルに搭載して閉鎖形配電盤に収容した引出し形回路遮断器を対象に、該回路遮断器に対向してクレードル側に配した主回路断路部の充電部分を覆う感電防止用のシャッタ装置に関する。
【背景技術】
【０００２】
周知のように、頭記の引出し形回路遮断器はクレードルの背面に配した主回路断路部（固定接触子）を介して盤内に敷設した電源側，負荷側の主回路母線に接続するようにしている。また、この主回路断路部の前方には回路遮断器の押込み，引出しに連係して開閉位置に移動する感電防止用のシャッタ装置を備えており、回路遮断器を「運転位置」から前方へ引出した際に主回路断路部の充電部分をシャッタ板で覆うようにしている（例えば、特許文献１参照）。
次に、前記回路遮断器の配置，およびクレードル側に備えたシャッタ装置の従来構造を図８（ａ）〜（ｃ）に示す。図において、１は台車付きの引出し形回路遮断器、２は回路遮断器１を搭載したクレードル、３は電源側，負荷側の主回路断路部、４はシャッタ装置である。
ここで、主回路断路部３は、回路遮断器１の電流遮断部から背後に引出した可動接触子（プラグ）３ａと、該可動接触子３ａに対向してクレードル２の背壁に配置した電源側，負荷側の固定接触子（ソケット）３ｂとからなり、回路遮断器１を図８（ａ）に示す「試験位置」に引出した状態では可動接触子３ａが固定接触子３ｂから離脱して盤内に敷設した主回路母線との間を断路し、回路遮断器１を図８（ｂ）に示す「運転位置」に押し込むと、可動接触子３ａが固定接触子３ｂにプラグインして主回路母線に接続される。
【０００３】
一方、シャッタ装置４は、前記固定接触子３ｂの前方に配して電源側，負荷側主回路の固定接触子３ｂの充電部を覆う上下２枚のシャッタ板５と、該シャッタ板５の両端に結合して上下可動に案内支持されたガイド支柱６と、後端をガイド支柱６の下端に連繋してクレードル２の前方側に引き出した操作レバー７とからなり、該操作レバー７の先端部に対向して回路遮断器１の台車側面には、回路遮断器１の押込み，引出し移動により前記操作レバー７を揺動させてシャッタ板５を開閉位置に駆動する操作片（アクチュエータ部材）８を備えている。なお、操作レバー７は支軸ピン７ａを介してクレードル２の側壁２ａに揺動可能に支持され、レバーの後端は長穴に嵌入したピン７ｂを介してガイド支柱６にピン結合されている。また、操作レバー７先端にはローラ７ｃを備えている。
次に、前記シャッタ板５の両端に結合したガイド支柱６の詳細な案内支持構造を図８（ｃ）に示す。ここで、ガイド支柱６は断面Ｃ形のチャンネル形状にプレス加工した鋼材を用い、シャッタ板５の端部にリベット９でカシメ止めしている。また、このガイド支柱６に対向してクレードルの側壁２ａには座板１０，および該座板１０に植設したピン１１を介して溝付きローラ１２を上下複数箇所に取付けた上で、このローラ１２の周溝に前記したＣ形チャンネル形状の鋼材を嵌め合わせてガイド支柱６を上下スライド可能に案内支持している。
【０００４】
上記の構成で、回路遮断器１を「試験位置」に引出した図８（ａ）の状態では、操作片８が操作レバー７から離脱して操作レバー７は自由状態にあり、これによりシャッタ板５は自重で下降して固定接触子３ｂの充電部を閉塞して不測な感電事故を防止する。また、回路遮断器１を「運転位置」に押し込むと（図８（ｂ）参照）、操作片８の先端に形成したテーパーカム面が操作レバー７のローラ７ｃに突き当たって該ローラ７ｃを押し上げる。これにより、操作レバー７は支軸ピン７ａを支点に時計方向に揺動し、その後端に連結したガイド支柱６を介してシャッタ板５を開放位置に押し上げる。これにより、主回路断路部３の可動接触子３ａはシャッタ板５に阻害されることなしに、固定接触子３ｂにプラグイン接続される。
【特許文献１】特開平１１−３０８７１８号公報
【発明の開示】
【発明が解決しようとする課題】
【０００５】
ところで、前記した従来構造のシャッタ装置は、その案内支持構造が複雑で部品点数，組立工数が多くなってコスト高となる問題がある。
すなわち、シャッタ板５の両端に結合したガイド支柱６にはＣ形チャンネ形状の鋼材を用いているために、そのプレス加工費が増してコスト高となる。そのほか、クレードル２の側壁には座板１０，ピン１１，溝付きローラ１２などの部品を設けてガイド支柱６を案内支持しているために部品点数が多く、さらにその組立工程では各部品をクレードル２の側壁２ａに固定する際のねじ止め，調整に大きくの作業時間を費やすなどの問題がある。
そこで、この発明は前記課題を解消し、少ない部品点数，組立工数で簡単に組立てられるように改良した引出し形回路遮断器のシャッタ装置を提供することを目的とする。
【課題を解決するための手段】
【０００６】
上記目的を達成するために、この発明によれば、引出し形回路遮断器を搭載したクレードルの背壁に主回路断路部の固定接触子を備えた上で、該固定接触子の前方に感電防止用のシャッタ板を配置し、該シャッタ板を回路遮断器の押込み，引出し移動に連動して開閉操作するようにした引出し形回路遮断器のシャッタ装置であって、前記シャッタ板の両端に連結して上下可動に案内支持したガイド支柱、および一端を前記ガイド支柱の下端に連繋して前方に引き出した揺動式の操作レバーを備え、かつ該操作レバーの先端側を回路遮断器に備えた操作アクチュエータ部材に連係させたものにおいて、
前記ガイド支柱を断面Ｌ形の鋼材として、該ガイド支柱をクレードルの側壁に切り起こし形成した左右のスライドガイドの間に嵌挿して上下移動可能に案内支持するとともに、ガイド支柱の下端に形成した切欠部に前記操作レバーの後端を嵌挿して両者の間を連繋して構成する（請求項１）。
また、前記構成において、操作レバーの揺動支点となる中間部位をクレードルの側壁に切り起こし形成した支点ガイドに嵌挿し、該支点ガイドを支点として操作レバーを揺動可能に支持する（請求項２）。
【発明の効果】
【０００７】
上記構成によれば、シャッタ板のガイド支柱として断面Ｌ形のアングル形状の鋼材を採用したことにより、支柱に必要な強度を確保しつつ、ガイド支柱を断面Ｃ形のチャンネル形状鋼材で構成した従来構造と比べて部品の製作コストが低減する。また、このガイド支柱を上下スライド可能に支える案内支持構造，および操作レバーの支点構造についても、クレードルの側壁に切り起こし形成したスライドガイド，支点ガイドを用いたことにより、従来構造に比べて部品点数の削減化が図れるほか、組立時のねじ止め，調整も不要となって組立，メンテナンス、および部品の交換も簡単に行える。
【発明を実施するための最良の形態】
【０００８】
以下、この発明の実施の形態を図１〜図７に示す実施例に基づいて説明する。なお、図１〜図５は第１の実施例、図６は第２の実施例、図７は第３の実施例を示し、各実施例において図８に対応する部材には同じ符号を付してその説明は省略する。
【実施例１】
【０００９】
図１〜図５において、回路遮断器１，クレードル２，主回路断路部３，およびシャッタ装置４のシャッタ板５に関しては、基本的に図８に示した従来構造と同様であるが、この実施例においてはシャッタ板５の両端に結合したガイド支柱６、該ガイド支柱６の下端に連繋した操作レバー７、およびその部品の支持構造が次記のような構成になる。
まず、ガイド支柱６については、図８に示した断面Ｃ形のチャンネル形状鋼材に代えて、プレス加工が容易な断面Ｌ形のアングル形状の鋼材を採用し、このアングル形状の鋼材をシャッタ板５の両端にリベット９でかしめ止めしている。
また、前記のガイド支柱６を上下方向でスライド可能に案内支持するために、この実施例では図８のような座板１０，支軸ピン１１，溝付きガイドローラ１２などの部品を使わずに、クレードル２の側壁２ａに直接切り起こし形成した舌片状のスライドガイド１４（図１（ｂ）および図３参照）でガイド支柱６を左右から支えて上下スライド可能に案内支持している。
さらに、ガイド支柱６と操作レバー７との連繋構造についても、図示実施例ではガイド支柱６の下端部に図１（ｃ）で示すような切欠部６ａを形成し、この切欠部６ａに操作レバー７の後端を嵌挿している。なお、操作レバー７の抜け止め防止策として、レバーの後端をＬ形に屈曲してガイド支柱６との連繋が外れないようにしている。
【００１０】
一方、操作レバー７は前端部を下に向けて「く」字状に屈曲しており、この屈曲部に対向して回路遮断器１の台車側面には操作アクチュエータとしてローラ１３を設けている（図５参照）。また、操作レバー７を揺動可能に枢支するために、操作レバーの揺動支点に位置に合わせてクレードル２の側壁２ａには図１（ｄ），（ｅ）で示すような支点ガイド１５を切り起こし形成して操作レバー７を嵌挿し、この支点ガイド１５を支点として揺動可能に枢支している。
次に、上記したシャッタ装置４の動作を説明する。まず、回路遮断器１を図１（ａ）で表す「試験位置」に引出した状態では、ローラ１３（操作アクチュエータ）が操作レバー７の前端から離脱している。これにより、シャッタ板５は自重で下降して主回路断路部３の固定接触子３ｂの充電部を閉塞する（図３参照）。また、シャッタ板５に結合したガイド支柱６は、クレードル２の側壁２ａに切り起こし形成した左右のスライドガイド１４で案内支持される。
上記の状態から回路遮断器１を図２の「運転位置」に押し込むと、ローラ１３が操作レバー７の前端屈曲部に当たって操作レバー７を押し下げる。これにより、操作レバー７は前記支点ガイド１５を揺動支点として時計方向に揺動し、ガイド支柱６を介してシャッタ板５を押し上げる（図４参照）。したがって、いままでシャッタ板５で閉塞されていた主回路断路部３の固定接触子３ｂの前面が開放状態となり、結果として回路遮断器１の可動接触子３ａが固定接触子３ｂにプラグイン接続されて回路遮断器１の電流遮断部が盤内の電源側，負荷側母線に接続される。
【００１１】
次に、本発明の応用実施例として第２の実施例、および第３の実施例を図６、図７に示す。
【実施例２】
【００１２】
図６（ａ），（ｂ）に示す第２の実施例では、操作レバー７の枢支構造として、先記実施例１で述べた支点ガイド１５の代わりに、クレードル２の側壁２ａに植設した支軸ピン１６で操作レバー７を傾動可能に枢支しており、その他の部品支持構造は実施例１と同様に構成している。なお、図６（ｂ）で１６ｂは支軸ピン１６のカラーである。
【実施例３】
【００１３】
図７（ａ），（ｂ）に示す第３の実施例では、操作レバー７の先端に図８の従来例と同様なローラ７ｃを設けるとともに、このローラ７ｃに対向する操作アクチュエータとして図８と同様な操作片８を引出し形回路遮断器１の台車側面に取付け、回路遮断器１の押込み，引出し移動に連係してシャッタ板５を開閉操作するようにしており、その他は実施例１と同様に構成されている。
【図面の簡単な説明】
【００１４】
【図１】この発明の実施例１に係わるシャッタ装置の構成図で、（ａ）はクレードルに搭載した回路遮断器の引出し状態を表す装置全体の側面図、（ｂ），（ｃ）はそれぞれ（ａ）におけるＡ部の拡大上面図，および斜視図、（ｄ），（ｅ）はそれぞれ（ａ）におけるＢ部の拡大上面図，および斜視図
【図２】図１（ａ）の位置から回路遮断器を「運転位置」に押し込んだ状態を表す装置全体の側面図
【図３】図１（ａ）に対応したシャッタ板の閉状態を表すクレードル全体の斜視図
【図４】図２に対応したシャッタ板の開状態を表すクレードル全体の斜視図
【図５】引出し形回路遮断器の外観図
【図６】この発明の実施例２に係わる要部の構成図で、（ａ）はクレードルの側壁に敷設した操作レバーの支持構造図、（ｂ）は（ａ）におけるＢ部の拡大上面図、
【図７】この発明の実施例３に係わる要部の構成図で、（ａ）はクレードル全体の斜視図、（ｂ）は（ａ）におけるＢ部の拡大上面図
【図８】引出し形回路遮断器に装備したシャッタ装置の従来例の構成図で、（ａ），（ｂ）はそれぞれ回路遮断器の引出し，押込み状態を表す装置全体の側面図、（ｃ）は（ａ）におけるＡ部の拡大上面図
【符号の説明】
【００１５】
１    引出し形回路遮断器
２    クレードル
２ａ  クレードルの側壁
３    主回路断路部
４    シャッタ装置
５    シャッタ板
６    ガイド支柱
７    操作レバー
８    操作片（操作アクチュエータ）
１３    ローラ（操作アクチュエータ）
１４    スライドガイド
１５    支点ガイド
【図１】
2009296711.tif 000003
【図２】
2009296711.tif 000004
【図３】
2009296711.tif 000005
【図４】
2009296711.tif 000006
【図５】
2009296711.tif 000007
【図６】
2009296711.tif 000008
【図７】
2009296711.tif 000009
【図８】
2009296711.tif 000010